(57)【要約】【課題】発電所のタービン駆動後の蒸気を冷却水によって凝縮させる復水器を洗浄するボールを、ボール回収器内に効率良く投入することができ、これによってボール回収器内へのボールの投入時間を短縮することを可能にした復水器細管洗浄ボール投入装置を提供する。【解決手段】本考案に係る復水器細管洗浄ボール投入装置は、復水器洗浄装置のボール回収器において、当該ボール回収器内へのボール投入面積を拡大すべく、ボール投入口に着脱可能としたテーパー筒状のボール投入装置を備えている。また、ボール投入装置は、ラッパ形または球面皿形に形成され、ボール回収器の上面に形成されたボール投入口に取り付けられている。さらに、ボール投入装置は、開口端側が斜めに切断されたラッパ形に形成され、ボール回収器の斜め上面位置に形成されたボール投入口に、当該開口端が水平となるように取り付けられている。【選択図】図２
0003118690.tif 000002
【実用新案登録請求の範囲】
【請求項１】
復水器細管洗浄装置のボール回収器において、当該ボール回収器内へのボール投入面積を拡大すべく、ボール投入口に着脱可能としたテーパー筒状のボール投入装置を備えたことを特徴とする復水器細管洗浄ボール投入装置。
【請求項２】
ボール投入装置は、ラッパ形または球面皿形に形成され、ボール回収器の上面に形成されたボール投入口に取り付けられる請求項１に記載の復水器細管洗浄ボール投入装置。
【請求項３】
ボール投入装置は、開口端側が斜めに切断されたラッパ形に形成され、ボール回収器の斜め上面位置に形成されたボール投入口に、当該開口端が水平となるように取り付けられる請求項１に記載の復水器細管洗浄ボール投入装置。
【考案の詳細な説明】
【技術分野】
【０００１】
本考案は、発電所のタービン駆動後の蒸気を冷却水によって凝縮させる復水器を洗浄するボールを、ボール回収器内に効率良く投入するための復水器細管洗浄ボール投入装置に関するものである。
【背景技術】
【０００２】
発電所において、復水器は、主に海水を冷却水として、タービン駆動後の蒸気を凝縮させている。この復水器内に海水を流すための細管は、約２３ｍｍ〜２６ｍｍ程度であるが、海水中の藻や小さな貝が付着し、細管が閉塞してしまい、復水器性能が低下することがあるため、定期的に細管を洗浄する必要がある。
【０００３】
このため、従来における細管の洗浄方法として、例えば、特許文献１に開示されているように、３胴から成る復水器の各胴に冷却水が対向流となる２個の水室を備え、当該冷却水は流れ方向に対応した２系列の冷却水入口母管から、各系３本の冷却水入口管に分岐し、各胴の水室へ供給され、復水器を通過した冷却水は、６本の冷却水出口管より流出し、再び２系列に集合した冷却水出口母管から系外の海洋等へ放水するものがある。
【０００４】
これによれば、ボール捕集器が２系列の冷却水出口母管に設けられ、当該ボール捕集器で捕集されたスポンジボールは、それぞれ循環ポンプによりボール取出管に抽出された後、両系のボールを集合し、流路切替装置によって各胴のボール回収器の１つに送出される。そして、この流路切替装置は、各胴へ向かう流路を全閉するか一つのみを開放するように三方切替弁を制御装置で切替えるものとし、前記ボール回収器は、洗浄運転中はボール注入管にスルーするボール非回収状態とし、回収運転時は、ボールを捕捉して回収状態とするものである。
【０００５】
また、従来における細管の他の洗浄方法としては、特許文献２に開示されているように、復水器の下流側に接続された放出管の下方を向く末端に捕集器が取り付けられ、当該捕集器は、スクリーンの下端に、パンチングボードから形成された漏斗を連設し、当該漏斗の底部に集積槽を接続し、集積槽の一側にはポンプに接続された回収パイプが接続されている技術がある。このとき、ボールはスポンジ状のため、水を含んで重くなり、水との重量差および偏向性差により、直角に向きを変える海水から剥がれるように直進し、漏斗の中央下部に誘導されて集積槽に集積されるものとしている。
【０００６】
さらに、従来における細管の他の洗浄方法としては、特許文献３に開示されているように、復水器空気抽出器でボール回収器内の空気を抽出して真空度を高めた後、ボール回収器出口弁を開いてボール回収器へ注水することで洗浄体を浸水させ、満水後にボール回収器真空弁を閉じてから、ボール回収器入口弁を開き、ボール循環ポンプを起動することで復水器細管を洗浄する技術が存在する。
【０００７】
この他にも、従来においては、復水器細管洗浄装置により、細管の径と同程度の大きさのスポンジボールを海水中に混入させた後、当該スポンジボールを細管内面と接触させながら通過させることにより、藻や貝とスライムを除去している。
【０００８】
この技術の概要は、復水器まわりの海水の流れと、復水器洗浄用のボール１０の流れを示した図１に開示されている。すなわち、タービン駆動後の蒸気を凝縮させるための冷却水（海水）は、取水ピット１における循環水ポンプ２により取り込まれ、復水器入口配管４を通過し、復水器３へ送られ、復水器出口配管５より海へ排出される。そして、ボール１０は、ボール循環ポンプ６により、復水器入口配管４へ送り込まれ、海水と共に復水器３の細管を通過、洗浄し、復水器出口配管５に設けられたボール捕集器９により捕集され、ボール回収器７に回収される。これらのボール循環動作を繰り返し行うことで、細管に藻や貝やスライム等が付着するのを防止でき、これによって復水器の性能の維持を図っている。
【特許文献１】特開平１０−２２０２０６号公報
【特許文献２】特開平１０−１１１０９５号公報
【特許文献３】特開平６−３１７３９６号公報
【考案の開示】
【考案が解決しようとする課題】
【０００９】
しかしながら、従来の復水器細管洗浄装置におけるボール回収器７においては、当該ボール回収器７内の密閉度を高くするために、ボール投入口１１をできるだけ小さくしている。
【００１０】
この様に、従来の装置においては、ボール投入口１１の口径が小さく形成されているため、ボール回収器７にボール１０を投入する際に、洗浄に必要となる約５００個程度の多量のボール１０を一度に投入することが不可能であり、手づかみで、少しずつ、ボール１０をボール回収器７に投入しなければならず、かなりのボール投入時間を費やしていた。
【００１１】
また、ボール投入口１１の口径を大きくすると同時に、ボール回収器７自体の密閉度を高くすることも考えられるが、ボール回収器７の密閉度を高く保つためにはボール投入口１１を塞ぐ蓋の重量が大きくなってしまうため、蓋の開閉作業に多大な危険を伴うものとなる。
【００１２】
一方、特許文献１および特許文献３においては、ボール循環ポンプを起動することで復水器細管を洗浄した後、ボールはボール回収器内に回収されるのであるが、当該ボール回収器内に、洗浄に必要となる多数のボールを予め投入させておく必要がある。しかも、ボールの補充や交換等も、必要に応じて行なわれる。
【００１３】
しかしながら、洗浄に必要となる多数のボールをボール回収器内に短時間で投入させるという、具体的な構成が示されていない。
【００１４】
同様に、特許文献２においては、ボールはスクリーンを通過することなく漏斗へ送られ、集積槽内に集積された後、回収パイプを介してポンプに吸い込まれ、再び流入管に送り込まれるのであるが、当該集積槽内に、洗浄に必要となる多数のボールを予め投入させておく必要がある。しかも、ボールの補充や交換等も、必要に応じて行なわれる。
【００１５】
しかしながら、洗浄に必要となる多数のボールを集積槽内に短時間で投入させるという、具体的な構成が示されていない。
【００１６】
そこで、本考案は如上のような従来存した諸事情に鑑み創案されたもので、発電所のタービン駆動後の蒸気を冷却水によって凝縮させる復水器を洗浄するボールを、ボール回収器内に効率良く投入することができ、これによってボール回収器内へのボールの投入時間を短縮することを可能にした復水器細管洗浄ボール投入装置を提供することを目的とする。
【課題を解決するための手段】
【００１７】
本考案に係る復水器細管洗浄ボール投入装置は、復水器細管洗浄装置のボール回収器において、当該ボール回収器内へのボール投入面積を拡大すべく、ボール投入口に着脱可能としたテーパー筒状のボール投入装置を備えたことで、上述した課題を解決した。
【００１８】
また、ボール投入装置は、ラッパ形または球面皿形に形成され、ボール回収器の上面に形成されたボール投入口に取り付けられることで、同じく上述した課題を解決した。
【００１９】
さらに、ボール投入装置は、開口端側が斜めに切断されたラッパ形に形成され、ボール回収器の斜め上面位置に形成されたボール投入口に、当該開口端が水平となるように取り付けられることで、同じく上述した課題を解決した。
【考案の効果】
【００２０】
本考案によれば、復水器細管洗浄装置のボール回収器内にボールを投入する際に、テーパー状のボール投入装置を用いることで、ボール回収器の投入口径が拡大されて、ボール回収器内にボールを一気に流し込むことができる。
【００２１】
そのため、復水器の細管を清掃のための準備時間が、大幅に短縮できるものとなる。
【考案を実施するための最良の形態】
【００２２】
以下に、本考案を実施するための最良の形態を、図１乃至図３に基づいて説明する。
【００２３】
図１は、復水器まわりの海水の流れと、復水器洗浄用のボール１０の流れを示している。
【００２４】
すなわち、タービン駆動後の蒸気を凝縮させるための冷却水（海水）は、取水ピット１における循環水ポンプ２により取り込まれ、復水器入口配管４を通過し、復水器３へ送られ、復水器出口配管５より海へ放水される。
【００２５】
そして、ボール１０は、ボール循環ポンプ６により、復水器入口配管４へ送り込まれ、海水と共に復水器３の細管を通過、洗浄し、復水器出口配管５に設けられたボール捕集器９により捕集され、ボール回収器７に回収される。これらのボール循環動作を繰り返し行うことで、細管に藻や貝やスライム等が付着するのを防止している。
【００２６】
そして、復水器３の細管は、週に１回〜２回程度、また、１回につき２時間程度、海水を含浸させたボール１０を用い、洗浄を行っている。
【００２７】
ボール回収器７は、図２（ａ）に示すように、球状に形成され、運転中の負圧や正圧に耐えられるような頑丈な構造となっている。また、ボール投入口１１の蓋は、図２（ｂ）に示すように、運転中の負圧や正圧による不用意な開蓋を防止するために、例えば、ねじ込み式又はボルト締めとなっている。
【００２８】
そして、ボール投入口１１からボール１０を投入する際には、一度に多くのボール１０を入れるために、ボール投入面積を広げる必要がある。そのため、図２（ａ）（ｂ）に示すように、外方へ向けて次第に拡径されたテーパー筒状の簡易構造によるボール投入装置１２を用いる。
【００２９】
このボール投入装置１２は、発泡スチロール、金属、プラスチック等を素材として作製する。
【００３０】
また、ボール投入装置１２の他の形態としては、図３（ａ）に示すようなラッパ形のもの、あるいは、図３（ｂ）に示すような球面皿形のものを、ボール回収器７の上面に形成されたボール投入口１１に取り付けるものがある。
【００３１】
さらに、ボール投入装置１２の他の形態としては、図３（ｃ）に示すような開口端側が斜めに切断されたラッパ形のものを、ボール回収器７の斜め上面位置に形成されたボール投入口１１に、当該開口端が水平となるようにして取り付けるものがある。
【００３２】
次に、上記した構成によるボール投入装置１２の使用・動作の一例を説明する。
【００３３】
先ず、図２に示すように、含水された３００個から５００個のボール１０をバケツに入れ、ボール投入装置１２を介して、ボール１０を一気にボール回収器７内に投入する。
【００３４】
ボール回収器７にボール１０を投入した後には、ボール投入口１１を蓋で閉めて固定する。そして、ボール回収器７内を海水で満水にし、ボール１０が全てボール回収器７の底に沈んだことを確認して、ボール循環の運転準備が完了する。
【００３５】
これ以降、ボール循環ポンプ６を起動してボール１０を復水器３の細管内に送り込み、細管内のボール１０による清掃が実施される。
【産業上の利用可能性】
【００３６】
本考案は、発電所のタービン駆動後の蒸気を冷却水によって凝縮させる復水器を洗浄するために使用されるボール回収器のボール投入口の口径を広げるために使用されることの他に、種々のボール投入用として、広く利用されるものである。
【図面の簡単な説明】
【００３７】
【図１】復水器のボールによる細管の洗浄過程を示す概略構成図である。
【図２】ボール投入装置の使用の一例を示すもので、（ａ）はボール回収器内にボールを投入する状態の側面図、（ｂ）はボール投入後の蓋閉めを行う状態の側面図である。
【図３】ボール投入装置の他例を示すもので、（ａ）はラッパ形のボール投入装置の構成を示す斜視図、（ｂ）は球面皿形のボール投入装置の使用状態を示す斜視図、（ｃ）は開口端側が斜めに切断されたラッパ形のボール投入装置の使用状態を示す側面図である。
【符号の説明】
【００３８】
１…取水ピット
２…循環水ポンプ
３…復水器
４…復水器入口配管
５…復水器出口配管
６…ボール循環ポンプ
７…ボール回収器
９…ボール捕集器
１０…ボール
１１…ボール投入口
１２…ボール投入装置
【図１】
0003118690.tif 000003
【図２】
0003118690.tif 000004
【図３】
0003118690.tif 000005